(57)【要約】【課題】  使用者が装置の形態の変化を装置本体に設定しなおす必要が無く、設定ミスによる装置不具合を防止することができるファクシミリ装置を得る。【解決手段】  原稿を搬送する紙送り部と搬送される原稿の画像を読み取る光学部とが一体に構成されると共に装置本体に対して一体的に移動可能に構成されたファクシミリ装置において、位置検出手段が紙送り部及び光学部の位置を検出し、制御手段が該位置に応じて装置の機能を変化させるようにした。【選択図】      図５
2008211691.tif 000002
【特許請求の範囲】
【請求項１】
受信後の記録紙が載置される受信用排紙スタッカと、送信前の原稿が載置される送信用給紙スタッカと、前記送信用給紙スタッカに載置された原稿を搬送する紙送り部と、前記紙送り部により搬送される原稿の画像を読み取る光学部と、前記光学部により画像が読み取られ前記紙送り部より排出される原稿が載置される送信用排紙スタッカとを含み、前記紙送り部及び前記光学部が一体に構成されると共に、前記紙送り部及び前記光学部が装置本体に対して一体的に移動可能に構成されたファクシミリ装置であって、
前記紙送り部及び前記光学部の位置に応じて該ファクシミリ装置の機能を制御する制御手段を含むことを特徴とするファクシミリ装置。
【請求項２】
前記送信用給紙スタッカ及び前記送信用排紙スタッカは、前記送信用排紙スタッカが前記送信用給紙スタッカの下方に位置するよう前記紙送り部に取り付けられ、前記受信用排紙スタッカは、前記送信用給紙スタッカ及び前記送信用排紙スタッカの後方に位置するよう前記装置本体に取り付けられており、
前記制御手段は、前記紙送り部及び前記光学部が前記送信用給紙スタッカ及び前記送信用排紙スタッカが前記装置本体から斜め上方に突出する送信優先位置にあるとき、該ファクシミリ装置の受信時の機能を制限することを特徴とする請求項１記載のファクシミリ装置。
【請求項３】
前記制御手段は、前記紙送り部及び前記光学部が前記送信優先位置にあるとき、前記記録紙を部数単位で排出位置を変更して排出する機能をオフにすることを特徴とする請求項２記載のファクシミリ装置。
【請求項４】
前記制御手段は、前記紙送り部及び前記光学部が前記送信優先位置にあるとき、前記受信用排紙スタッカに排出される前記記録紙の枚数を所定の枚数に制限することを特徴とする請求項２または３記載のファクシミリ装置。
【請求項５】
受信後の記録紙が載置される受信用排紙スタッカと、送信前の原稿が載置される送信用給紙スタッカと、前記送信用給紙スタッカに載置された原稿を搬送する紙送り部と、前記紙送り部により搬送される原稿の画像を読み取る光学部と、前記光学部により画像が読み取られ前記紙送り部より排出される原稿が載置される送信用排紙スタッカとを含み、前記紙送り部及び前記光学部が一体に構成されると共に、前記紙送り部及び前記光学部が装置本体に対して一体的に移動可能に構成されたファクシミリ装置の動作制御方法であって、
前記紙送り部及び前記光学部の位置に応じて該ファクシミリ装置の機能を制御するステップを含むことを特徴とする動作制御方法。
【請求項６】
前記送信用給紙スタッカ及び前記送信用排紙スタッカは、前記送信用排紙スタッカが前記送信用給紙スタッカの下方に位置するよう前記紙送り部に取り付けられ、前記受信用排紙スタッカは、前記送信用給紙スタッカ及び前記送信用排紙スタッカの後方に位置するよう前記装置本体に取り付けられており、
前記ステップは、前記紙送り部及び前記光学部が前記送信用給紙スタッカ及び前記送信用排紙スタッカが前記装置本体から斜め上方に突出する送信優先位置にあるとき、該ファクシミリ装置の受信時の機能を制限することを特徴とする請求項５記載の動作制御方法。
【請求項７】
前記ステップは、前記紙送り部及び前記光学部が前記送信優先位置にあるとき、前記記録紙を部数単位で排出位置を変更して排出する機能をオフにすることを特徴とする請求項５記載の動作制御方法。
【請求項８】
前記ステップは、前記紙送り部及び前記光学部が前記送信優先位置にあるとき、前記受信用排紙スタッカに排出される前記記録紙の枚数を所定の枚数に制限することを特徴とする請求項６または７記載の動作制御方法。
【請求項９】
受信後の記録紙が載置される受信用排紙スタッカと、送信前の原稿が載置される送信用給紙スタッカと、前記送信用給紙スタッカに載置された原稿を搬送する紙送り部と、前記紙送り部により搬送される原稿の画像を読み取る光学部と、前記光学部により画像が読み取られ前記紙送り部より排出される原稿が載置される送信用排紙スタッカとを含み、前記紙送り部及び前記光学部が一体に構成されると共に、前記紙送り部及び前記光学部が装置本体に対して一体的に移動可能に構成されたファクシミリ装置の動作制御方法をコンピュータに実行させるためのプログラムであって、
前記紙送り部及び前記光学部の位置に応じて該ファクシミリ装置の機能を制御する処理を含むことを特徴とするプログラム。
【発明の詳細な説明】
【技術分野】
【０００１】
本発明はファクシミリ装置、動作制御方法及びプログラムに関し、特に原稿を搬送する紙送り部と搬送される原稿の画像を読み取る光学部とが一体に構成されると共に装置本体に対して一体的に移動可能に構成されたファクシミリ装置に関する。
【背景技術】
【０００２】
昨今では、ファクシミリ装置を使用した業務が多様化し、かつ、同じ業務内であってもその時々に合った機器として最適の形態を望む声が高くなっており、また、比較的小さく限られたスペースに配置したいという要望がある。
【０００３】
特許文献１には、読み取り部と記録部を有し、記録部による記録時には読み取り部と記録部との間に間隙を設け、読み取り部による読み取り時には該間隙を無くすための移動手段を備えるファクシミリ装置が記載されている。
【０００４】
また、特許文献２及び３には、原稿を搬送する紙送り部を備えた原稿読み取りユニットが装置本体に対して揺動自在に支持されることにより装置本体に対して移動可能に構成されたファクシミリ装置が記載されている。
【０００５】
【特許文献１】特開２００２−０９４７４１号公報
【特許文献２】特開平１０−１０７９５３号公報
【特許文献３】特開平１０−１２６５６９号公報
【発明の開示】
【発明が解決しようとする課題】
【０００６】
上述した特許文献２及び３記載のファクシミリ装置では、使用者自らがその時々の使用状況に合わせて形態を変更することができる。使用者自らがその時々の使用状況に合わせてファクシミリ装置の形態を変更する場合に、形態の変化に伴ってファクシミリ装置の機能を変更する必要があるとき、使用者は形態の変化を認識させるべくファクシミリ装置本体に設定を行って機能の変更を行わなければならない。したがって、この場合、使用者が設定を忘れる等、設定ミスがあると装置に不具合が発生してしまう。
【０００７】
なお、特許文献１記載のファクシミリ装置は、装置の機能の変化に伴って読み取り部の位置を変更するものであり、使用者自らが任意に装置の形態を変更することはできない。
【０００８】
本発明の目的は、使用者が装置の形態の変化を装置本体に設定しなおす必要が無く、設定ミスによる装置不具合を防止することができるファクシミリ装置、動作制御方法及びプログラムを提供することである。
【課題を解決するための手段】
【０００９】
本発明によるファクシミリ装置は、受信後の記録紙が載置される受信用排紙スタッカと、送信前の原稿が載置される送信用給紙スタッカと、前記送信用給紙スタッカに載置された原稿を搬送する紙送り部と、前記紙送り部により搬送される原稿の画像を読み取る光学部と、前記光学部により画像が読み取られ前記紙送り部より排出される原稿が載置される送信用排紙スタッカとを含み、前記紙送り部及び前記光学部が一体に構成されると共に、前記紙送り部及び前記光学部が装置本体に対して一体的に移動可能に構成されたファクシミリ装置であって、前記紙送り部及び前記光学部の位置に応じて該ファクシミリ装置の機能を制御する制御手段を含むことを特徴とする。
【００１０】
本発明による動作制御方法は、受信後の記録紙が載置される受信用排紙スタッカと、送信前の原稿が載置される送信用給紙スタッカと、前記送信用給紙スタッカに載置された原稿を搬送する紙送り部と、前記紙送り部により搬送される原稿の画像を読み取る光学部と、前記光学部により画像が読み取られ前記紙送り部より排出される原稿が載置される送信用排紙スタッカとを含み、前記紙送り部及び前記光学部が一体に構成されると共に、前記紙送り部及び前記光学部が装置本体に対して一体的に移動可能に構成されたファクシミリ装置の動作制御方法であって、前記紙送り部及び前記光学部の位置に応じて該ファクシミリ装置の機能を制御するステップを含むことを特徴とする。
【００１１】
本発明によるプログラムは、受信後の記録紙が載置される受信用排紙スタッカと、送信前の原稿が載置される送信用給紙スタッカと、前記送信用給紙スタッカに載置された原稿を搬送する紙送り部と、前記紙送り部により搬送される原稿の画像を読み取る光学部と、前記光学部により画像が読み取られ前記紙送り部より排出される原稿が載置される送信用排紙スタッカとを含み、前記紙送り部及び前記光学部が一体に構成されると共に、前記紙送り部及び前記光学部が装置本体に対して一体的に移動可能に構成されたファクシミリ装置の動作制御方法をコンピュータに実行させるためのプログラムであって、前記紙送り部及び前記光学部の位置に応じて該ファクシミリ装置の機能を制御する処理を含むことを特徴とする。
【００１２】
このように、本発明では、原稿を搬送する紙送り部と搬送される原稿の画像を読み取る光学部とが一体に構成されると共に装置本体に対して一体的に移動可能に構成されたファクシミリ装置において、紙送り部及び光学部の位置の変化に伴って装置の機能を変化させるようにしている。
【発明の効果】
【００１３】
本発明によれば、紙送り部及び光学部の位置の変化に伴って装置の機能を変化させることにより、使用者が装置の形態の変化を装置本体に設定しなおす必要が無く、設定ミスによる装置不具合を防止することができるという効果が得られる。
【発明を実施するための最良の形態】
【００１４】
以下、本発明の実施例について図面を参照して説明する。
【００１５】
図１及び２は本発明の実施例によるファクシミリ装置の縦断面図である。図１及び２において、本発明の実施例によるファクシミリ装置は、送信前の原稿を堆積する送信用給紙スタッカ１と、送信後の原稿を堆積する送信用排紙スタッカ２と、受信後の記録紙を堆積する受信用排紙スタッカ３と、送信用原稿の紙送り部４と、原稿表面に形成された画像を電気的信号に変換して送信データとして読み込む光学部５と、装置本体６と、受信した情報を記録する記録紙７が収納される給紙カセット８と、リンク機構１０と、固定（ロック）機構１１と、スイッチ１２と、給紙ローラ２１〜２５及び３１〜３５とを含んで構成される。
【００１６】
送信用排紙スタッカ２は送信用給紙スタッカ１の下方に設けられる。また、送信用給紙スタッカ１及び送信用排紙スタッカ２は紙送り部４の図示しない送信前原稿の挿入口および送信後原稿の排出口に固定される。
【００１７】
紙送り部４は装置本体６の中央部に位置し、光学部５は紙送り部４の下部に機械的に固定される。そして、紙送り部４と光学部５は、リンク機構１０及び固定（ロック）機構１１により装置本体６から移動可能に構成される。
【００１８】
また、紙送り部４の後方（図１の紙送り部４の左側）に受信用排紙スタッカ３が配置され、装置本体６の底面に給紙カセット８が配置される。
【００１９】
すなわち、受信用排紙スタッカ３上の記録紙７が送信用給紙スタッカ１上の原稿（不図示）よりも上方に排出され、かつ記録紙７と原稿（不図示）が重ならないように送信用給紙スタッカ１の後方に受信用排紙スタッカ３が設けられている。
【００２０】
送信用給紙スタッカ１に載置された図示せぬ送信前の原稿は、ローラ３１〜３５を介して紙送り部４の内部を搬送され、送信用排紙スタッカ２へ排出される。また、搬送中に、送信原稿表面に形成された画像は、光学部５によって電気的信号に変換されることによって送信データとして読み込まれる。
【００２１】
また、給紙カセット８から供給された記録紙７に受信データが静電式記録方式等の印刷技術によって画像として記録され、ローラ２１〜２５を介して受信用排紙スタッカ３上に排出される。
【００２２】
本発明の実施例によるファクシミリ装置の使用時の一形態である図１の状態では、送信用給紙スタッカ１と送信用排紙スタッカ２の先端が装置本体６の側面から突出しないように構成され、紙送り部４及び光学部５が装置本体６内に収納されるため、省スペース化を図ることができるが、送信用給紙スタッカ１および送信用排紙スタッカ２の周辺部空間が狭く、送信時の操作性が悪くなる。そのため、一体に構成された紙送り部４及び光学部５の位置を図２の形態に変更することにより、上記空間を拡大し、送信時の操作性が劣化することを防止することができる。
【００２３】
図２において、紙送り部４及び光学部５は、装置本体６から斜め上方（同図では右上）に突出するよう、装置本体６に搭載および固定されている。なお、このように、紙送り部４を装置本体６から斜め上方に突出させた状態（送信用給紙スタッカ１及び送信用排紙スタッカ２を装置本体６から斜め上方に突出させた状態）では、送信用給紙スタッカ１の先端と、送信用排紙スタッカ２の先端はともに装置本体６の側面から突出しないよう構成されている。
【００２４】
また、同図には送信用排紙スタッカ２に読み込みが完了した原稿９が排出された態様が表示されている。なお、図３は紙送り部４及び光学部５を斜め上方に持ち上げた図２の状態における本発明の実施例によるファクシミリ装置の外観斜視図であり、図１及び２と同等部分は同一符号にて示している。
【００２５】
紙送り部４及び光学部５は、リンク機構１０によって装置本体６と結合されており、これら図１及び２の形態に選択的に変化させることができる。リンク機構１０に取り付けられた固定（ロック）機構１１は、このリンク機構１０の動作を制限し、図１及び２に示した各位置での紙送り部４及び光学部５の可動性を制御する。すなわち、各位置にて紙送り部４及び光学部５を固定するロックの役割を担う。
【００２６】
リンク機構１０が下方に回転及び屈曲することにより、図１に示すように、紙送り部４及び光学部５が装置本体６中央部に沈み込むように搭載固定される。また、リンク機構１０が回転及び伸長することにより、図２に示すように、紙送り部４及び光学部５は図中左上方向に持ち上げられ、送信用給紙スタッカ１及び送信用排紙スタッカ２が装置本体６から突出した位置に搭載固定される。
【００２７】
なお、このように紙送り部４及び光学部５を装置本体６に対して一体的に移動可能にする構成は当業者によく知られているので、リンク機構１０及び固定（ロック）機構１１の詳細な説明は省略する。また、本発明において、紙送り部４及び光学部５を装置本体６に対して一体的に移動可能にする構成は図１及び２に示した構成に限定されるものではない。
【００２８】
図１及び２に示すスイッチ１２は、紙送り部４及び光学部５の位置を検出する位置検出手段であり、リンク機構１０によって押下／非押下される。すなわち、紙送り部４及び光学部５の位置によって、電気的にオン／オフの状態が変化する。この電気信号を後述する制御部１０１に伝えることにより、ファクシミリ装置は紙送り部４及び光学部５が図１の位置（受信記録優先位置）及び図２の位置（送信優先位置）のどちらの位置にあるかを検知する。
【００２９】
図４は本発明の実施例によるファクシミリ装置の構成を示すブロック図であり、図１〜３と同等部分は同一符号にて示している。図４において、本発明の実施例によるファクシミリ装置は、紙送り部４、光学部５及びスイッチ１２に加え、他のファクシミリ装置との間でデータを送受信するための通信部１０２と、通信部１０２により受信された受信データを静電式記録方式等の印刷技術によって記録紙７に画像として記録してローラ２１〜２５を介して受信用排紙スタッカ３上に排出する記録部１０３と、これら各部を制御する制御部１０１とを有している。
【００３０】
図５は本発明の実施例によるファクシミリ装置の動作を示すフローチャートである。図５において、制御部１０１は、位置検出手段であるスイッチ１２からスイッチ情報を取得すると（ステップＳ１）、紙送り部４及び光学部５が図１に示した受信記録優先位置にある場合（ステップＳ２，Ｎｏ）、シフトソート機能をオンせしめると共に記録枚数制限機能をオフせしめる（ステップＳ４）。
【００３１】
シフトソート機能は、受信時（記録時）に、記録部１０３が記録紙７を部数単位で排出位置を変更して受信用排紙スタッカ３上に排出する機能である。なお、シフトソート機能の代わりに、制御部１０１の制御により受信用排紙スタッカ（トレイ）３を移動させることにより、記録紙７を部数単位で排出位置を変更して排出するシフトトレイ機能が備わっている場合には、ステップＳ４にてシフトトレイ機能がオンされるようにしてもよい。
【００３２】
記録枚数制限機能は、受信時（記録時）に、記録部１０３から受信用排紙スタッカ３に排出される記録紙７の枚数を所定の枚数に制限する機能であり、所定の枚数に達した場合、記録部１０３による記録排出動作が停止される。なお、これは、排出される記録紙７の枚数を部数単位で制限してもよいし、あるいは受信用排紙スタッカ３上に堆積される記録紙７の総数を所定の枚数に制限してもよい。
【００３３】
図５に戻り、紙送り部４及び光学部５が図２に示した送信優先位置にある場合（ステップＳ２，Ｙｅｓ）、スタック性能上の制約が生じるのでスタック性能を確保すべく、制御部１０１は、シフトソート機能をオフせしめると共に記録枚数制限機能をオンせしめる（ステップＳ３）。
【００３４】
以上説明したように、本発明の実施例では、紙送り部４及び光学部５の位置を図１の受信記録優先位置、図２の送信優先位置いずれかの位置に使用者が自ら変更可能であるため、その時々の使用状況に合わせた最適な形態を提供することによって、使用者の利便性が向上される。さらに、紙送り部４及び光学部５の位置を装置が自動的に認識し、その位置に応じて装置の機能を制御するので、使用者が装置の形態の変化を装置本体に設定しなおす必要が無く、設定ミスによる装置不具合を防止することができる。
【００３５】
なお、図５に示したフローチャートに従ったファクシミリ装置の処理動作は、該装置において、予めＲＯＭ等の記憶媒体に格納されたプログラムを、ＣＰＵ（制御部）となるコンピュータに読み取らせて実行せしめることにより、実現できることは勿論である。
【産業上の利用可能性】
【００３６】
本実施例では、静電式記録方式を用いたファクシミリ装置を一例に挙げたが、感熱方式等他方式の記録方式を採用したファクシミリ装置へも本発明の適用が可能である。
【図面の簡単な説明】
【００３７】
【図１】本発明の実施例によるファクシミリ装置の縦断面図である。
【図２】本発明の実施例によるファクシミリ装置の縦断面図である。
【図３】本発明の実施例によるファクシミリ装置の外観斜視図である。
【図４】本発明の実施例によるファクシミリ装置の構成を示すブロック図である。
【図５】本発明の実施例によるファクシミリ装置の動作を示すフローチャートである。
【符号の説明】
【００３８】
１  送信用給紙スタッカ
２  送信用排紙スタッカ
３  受信用排紙スタッカ
４  紙送り部
５  光学部
６  装置本体
７  記録紙
８  給紙カセット
９  原稿
１０  リンク機構
１１  固定機構
１２  スイッチ
２１〜２５  給紙ローラ
３１〜３５  給紙ローラ
１０１  制御部
１０２  通信部
１０３  記録部
【図１】
2008211691.tif 000003
【図２】
2008211691.tif 000004
【図３】
2008211691.tif 000005
【図４】
2008211691.tif 000006
【図５】
2008211691.tif 000007